(57)【要約】【課題】  貝殻を用いた水質改善システムにおいて、貝殻の搬送を効果的に行い、システム全体を以って使用性の高い水質改善システムを提供する。【解決手段】  貝殻を受け入れる受入部１０と、受入部１０に充填された前記貝殻を負圧を利用して吸い込む吸込部１１と、吸込部１１に吸い込まれた前記貝殻を貯蔵する貯蔵部１６と、スラリー送給用の流路管の一部と連通したケーシング内にインペラを内蔵する送給装置１００とを有し、貯蔵部１６から送給装置１００に前記貝殻を供給し、前記インペラを作動することで水と前記供給された貝殻とを攪拌して、スラリー状として貯水池２４へ送給する。【選択図】図１
0003120916.tif 000002
【実用新案登録請求の範囲】
【請求項１】
貯水池に貯留された貯水の水質を改善する水質改善システムであって、
貝殻搬送部において、貝殻と水とを攪拌してスラリー状とし、これを前記貯水池へ送給する送給装置を備え、
添加された貝殻成分によって、前記貯水の酸性度を中和して、ｐＨ値を高めるようにしたことを特徴とする水質改善システム。
【請求項２】
前記送給装置は、スラリー送給用の流路管の一部と連通したケーシング内にインペラを内蔵し、前記インペラの作動により、それぞれ供給された前記貝殻と前記水を攪拌することを特徴とする請求項１に記載の水質改善システム。
【請求項３】
前記貝殻搬送部に、前記貝殻を受け入れる受入部と、前記受入部に充填された前記貝殻を負圧を利用して吸い込む吸込部と、前記吸込部に吸い込まれた前記貝殻を貯蔵する貯蔵部とを備え、前記貯蔵部から前記送給装置に前記貝殻を供給することを特徴とする請求項１又は２に記載の水質改善システム。
【請求項４】
前記貝殻は粉砕された所定サイズのかきの貝殻であることを特徴とする請求項１〜３のいずれか１項に記載の水質改善システム。
【請求項５】
貝殻を受け入れる受入部と、
前記受入部に充填された前記貝殻を負圧を利用して吸い込む吸込部と、
前記吸込部に吸い込まれた前記貝殻を貯蔵する貯蔵部と、
前記貝殻と水とを攪拌してスラリー状とし、送給する送給装置とを備えた貝殻搬送システムであって、
前記貯蔵部は、前記送給装置に前記貝殻を供給し、
前記送給装置は、スラリー送給用の流路管の一部と連通したケーシング内にインペラを内蔵し、前記インペラの作動により、それぞれ供給された前記貝殻と前記水を攪拌することを特徴とする貝殻搬送システム。
【考案の詳細な説明】
【技術分野】
【０００１】
本考案は、貝殻を用いて水の酸性度を中和して、ｐＨ値を高めるようにした水質改善システムに関する。
【背景技術】
【０００２】
水道水の原水として、地下水や川から汲み上げた水等が使用されている。原水から水道水として供給される浄水処理の過程においては、ろ過、消毒等の複数の処理が行われており、最近では、通常の浄水処理過程にオゾン処理と生物活性炭吸着処理を加えた高度浄水処理施設を導入する浄水場もある。この高度浄水処理施設によれば、効果的な水質改善が可能であり、特にカビ臭を抑え、より安全でおいしい水を提供することが可能である。
【０００３】
また、この種の水質改善に関する技術として、粉砕した天然のかきの貝殻（シェルビーズ）を利用した浄化処理方法が特許文献１に開示されている。この方法は、かきの貝殻に含まれる炭酸カルシウムの成分を利用し、酸性の成分を含む原水にシェルビーズを浸すことで中和させる技術である。この技術によれば、特にｐＨ値の改善に効果的であり、原水のｐＨ値を高めることで水道施設の劣化を防ぎ、安全な水の確保が可能となる。
【０００４】
【特許文献１】特公昭５５−４９５５３号公報
【考案の開示】
【考案が解決しようとする課題】
【０００５】
本考案は、上記の貝殻を用いた水質改善システムにおいて、貝殻の搬送を効果的に行い、システム全体を以って使用性の高い水質改善システムを提供することを目的とする。
【課題を解決するための手段】
【０００６】
本考案の水質改善システムは、貯水池に貯留された貯水の水質を改善する水質改善システムであって、貝殻搬送部において、貝殻と水とを攪拌してスラリー状とし、これを前記貯水池へ送給する送給装置を備え、添加された貝殻成分によって、前記貯水の酸性度を中和して、ｐＨ値を高めるようにしたことを特徴とする。
また、前記送給装置は、スラリー送給用の流路管の一部と連通したケーシング内にインペラを内蔵し、前記インペラの作動により、それぞれ供給された前記貝殻と前記水を攪拌することを特徴とする。
また、前記貝殻搬送部に、前記貝殻を受け入れる受入部と、前記受入部に充填された前記貝殻を負圧を利用して吸い込む吸込部と、前記吸込部に吸い込まれた前記貝殻を貯蔵する貯蔵部とを備え、前記貯蔵部から前記送給装置に前記貝殻を供給することを特徴とする。
また、前記貝殻は粉砕された所定サイズのかきの貝殻であることを特徴とする。
また、本考案の貝殻搬送システムは、貝殻を受け入れる受入部と、前記受入部に充填された前記貝殻を負圧を利用して吸い込む吸込部と、前記吸込部に吸い込まれた前記貝殻を貯蔵する貯蔵部と、前記貝殻と水とを攪拌してスラリー状とし、送給する送給装置とを備えた貝殻搬送システムであって、前記貯蔵部は、前記送給装置に前記貝殻を供給し、前記送給装置は、スラリー送給用の流路管の一部と連通したケーシング内にインペラを内蔵し、前記インペラの作動により、それぞれ供給された前記貝殻と前記水を攪拌することを特徴とする。
【考案の効果】
【０００７】
本考案の水質改善システムによれば、水質改善効果を効率良く貯水池に搬送することが可能であり、使用性の高い水質改善システムを提供することができる。
【考案を実施するための最良の形態】
【０００８】
（第１の実施の形態）
以下、図面を基に本考案の水質改善システムの第１の実施の形態について説明する。図１は、水質改善システム１の基本構成を示す図である。
【０００９】
図１において、１０は粉砕されたかきの貝殻（以下、シェルビーズと称す）が充填される受入ホッパである。本実施の形態で用いられるシェルビーズは、好適には１〜５ｍｍ角程度の麟片状の所定サイズに粉砕処理されたものを使用し、粉砕処理後にフレコンバッグ等に包まれて、ホイスト等を介して受入ホッパ１０に充填される。
【００１０】
１１は吸込ホッパであり、受入ホッパ１０と吸込ホッパ１１とは配管１２を介し連通している。また、１３はブロワであり、吸込ホッパ１１と配管１４を介し連通している。このブロワ１３を作動させることで、吸込ホッパ１１内に負圧を発生させ、受入ホッパ１０のシェルビーズが配管１２を通り吸込ホッパ１１まで吸引される。ブロワ１３は本実施の形態では２台配設され、いずれか１台は予備として設けられる。
【００１１】
吸込ホッパ１１に吸引されたシェルビーズは、ダブルフラップバルブ１５を介し貯蔵ホッパ１６に貯蔵される。ダブルフラップバルブ１５は、上下２段に２つのダンパを有し、吸込ホッパ１１内のシェルビーズをダンパの切替によって所定量毎に定量して貯蔵ホッパ１６に貯蔵するように構成される。また、このようにダンパの２段構造とすることで、ブロワ１３による負圧の影響が貯蔵ホッパ１６内に及ばないように構成されている。また、貯蔵ホッパ１６は受入ホッパ１０に対して大容量であり、複数回のシェルビーズの受入、吸込、貯蔵作業を繰り返すことで貯蔵ホッパ１６が充填される。
【００１２】
貯蔵ホッパ１６にシェルビーズが充填されると、貯蔵ホッパ１６の下部に設けられた２方向切替ダンパ１７のいずれかを開放してロータリーバルブ１８を作動させることで一定量ずつ定量され、送給装置１００にシェルビーズが供給される。また、本実施の形態において送給装置１００は２台配設されており、いずれか１台は予備として設けられる。予備の送給装置１００を使用する際は、２方向切替ダンパ１７を切り替えてシェルビーズを供給する。
【００１３】
また、送給装置１００には貯水槽１９からポンプ等で汲み上げられた水が配管２０を通って流入する。配管２０は送給装置１００までの流入過程において、２方向に分岐し、それぞれの送給装置１００において、主管２１を流れる水が後述するケーシング１０２側に流入され、補助管２２を流れる水が後述するホッパ１０１に流入される。また、流入過程においては複数のバルブ、流量計が配設され所定の量の水が流入されるように制御される。
【００１４】
ここで、図２に送給装置１００の詳細説明図を示す。送給装置１００はその上部に貯蔵ホッパ１６のシェルビーズを受け入れるホッパ１０１を有する。また、ホッパ１０１は前述したように補助管２２からの補助管水が流入されるように構成される（図２（ａ）、矢印）。
【００１５】
さらに、送給装置１００は、ホッパ１０１の下部と連通したケーシング１０２を有し、ケーシング１０２内にシェルビーズが供給されるように構成される。ケーシング１０２は、回転自在に軸支されたインペラ１０３を内蔵しており、さらに、貯水槽１９と貯水池２４とを結ぶ水の流路管の一部を形成する流路管部１０２ａと連通して一体形成されている（図２（ｂ））。
【００１６】
インペラ１０３をモータ等で駆動することで、流路管部１０２ａの一方（配管２１側）から他方（配管２３側）へ流れる水の中に、ホッパ１０１を通って供給されたシェルビーズと補助管水とをケーシング１０２内において攪拌して、スラリー状としたシェルビーズを吐出する。吐出されたシェルビーズは配管２３を通って、貯水池２４へと搬送され、所望の量が充填されるまで本システムを作動させる。
【００１７】
なお、補助管２２からホッパ１０１に水を流入することで、ホッパ１０１の出口付近にシェルビーズが固着すること（例えばブリッジ等）を防ぐと共に、シェルビーズがスラリー状となるため、流路管部１０２ａ側へ吐出されやすくなる。
【００１８】
以上のように送給装置１００を用いて、シェルビーズと水との攪拌を行い、スラリー状として送給するため、効率良くシェルビーズを搬送することができる。さらに、貯水池２４の貯水は、シェルビーズの炭酸カルシウムの成分によって、水の酸性度が中和され、ｐＨ値が高められ、理想的には弱アルカリ性の安全でおいしい水を提供することが可能となる。
【００１９】
（第２の実施の形態）
次に、本考案の第２の実施の形態に係る水質改善システム２を図３を用いて説明する。なお、第１の実施の形態に係る水質改善システム１との共通部分に関しては同符号を用い、説明を省く。
【００２０】
本実施の形態の水質改善システム２は、図３に示すように、吸込ホッパ１１以下の基本構成は第１の実施の形態のものと同様であるが、吸込みホッパ１１以下のシステムを２機並列して備えた構成となっている。また、それに対し、受入ホッパ１０は１台のままであり、受入ホッパ１０と吸込ホッパ１１とを連通する配管１２が分岐している構成となっている。
【００２１】
配管１２は２方向切替バルブ２５によってシェルビーズを分岐させることができ、いずれかの吸込ホッパ１１にシェルビーズを導くかを選択的に切り替えることができる。また、吸込み時に負圧を発生させるブロワ１３も１台のままであり、ブロワ１３から設けられた配管２６を分岐させ、それぞれの吸込ホッパ１１と連通させている。本第２の実施の形態による水質改善システム２は、大規模な施設に適用する際に好適である。
【図面の簡単な説明】
【００２２】
【図１】本考案の第１の実施の形態に係る水質改善システムの構成を示す図である。
【図２】本考案の実施の形態に係る水質改善システムの要部を示す図である。
【図３】本考案の第２の実施の形態に係る水質改善システムの構成を示す図である。
【符号の説明】
【００２３】
１  水質改善システム
２  水質改善システム
１０  受入ホッパ
１１  吸込ホッパ
１２  配管
１３  ブロワ
１４  配管
１６  貯蔵ホッパ
１９  貯水槽
２０  配管
２３  配管
２４  貯水池
１００  送給装置
１０１  ホッパ
１０２  ケーシング
１０２ａ  流路管部
１０３  インペラ
【図１】
0003120916.tif 000003
【図２】
0003120916.tif 000004
【図３】
0003120916.tif 000005